(57)【要約】【課題】輻輳状態となったときに、その輻輳状態をできるだけ早く解消して移動機の通信を可能にすること。【解決手段】移動体通信ネットワークにおける輻輳制御方法であって、移動体通信ネットワークにおける基地局制御装置が、当該基地局制御装置またはその配下の基地局、若しくはセルが輻輳状態となったことを認識したときに（＃１１でイエス）、輻輳状態となっているセルの配下の移動機が輻輳状態から脱するために移動すべき移動先を決定し（＃１２）、その移動先の情報を、輻輳状態についての情報である輻輳情報とともに、当該基地局制御装置の制御に基づいて、輻輳状態となっている当該基地局制御装置またはその配下の基地局、若しくはセルに在圏する移動機に対し当該移動機のユーザが認知可能なように通知する（＃１３，１４）。【選択図】  図１５
2008118171.tif 000002
【特許請求の範囲】
【請求項１】
移動体通信ネットワークにおける輻輳制御方法であって、
前記移動体通信ネットワークにおける基地局制御装置が、当該基地局制御装置またはその配下の基地局、若しくはセルが輻輳状態となったことを認識したときに、輻輳状態についての情報である輻輳情報を、当該基地局制御装置の制御に基づいて、輻輳状態となっている当該基地局制御装置またはその配下の基地局、若しくはセルに在圏する移動機に対し当該移動機のユーザが認知可能なように通知する、
ことを特徴とする移動体通信ネットワークにおける輻輳制御方法。
【請求項２】
前記移動機に対して輻輳情報を通知する際に、前記移動機の表示面にその旨のメッセージが表示されるようまたは前記移動機のスピーカから音声出力されるように通知する、
請求項１記載の移動体通信ネットワークにおける輻輳制御方法。
【請求項３】
輻輳状態となったことを認識した前記基地局制御装置は、その輻輳情報を当該移動体通信ネットワークにおける他の基地局制御装置に通知し、
通知を受けた前記他の基地局制御装置は、通知を受けた輻輳情報を、当該他の基地局制御装置の制御に基づいて、その配下の移動機に対し当該移動機のユーザが認知可能なように通知する、
請求項１または２記載の移動体通信ネットワークにおける輻輳制御方法。
【請求項４】
輻輳状態となったことを認識した前記基地局制御装置は、セルを単位としてその輻輳状態を管理し、
輻輳状態となっていないセルに対して、輻輳状態となっているセルの配下の移動機が輻輳状態から脱するために移動すべき移動先としての優先順位を決定し、
前記移動機に対して輻輳情報を通知する際に、前記優先順位に基づいて移動先のセルの情報を通知する、
請求項１または２記載の移動体通信ネットワークにおける輻輳制御方法。
【請求項５】
前記輻輳情報を通知すべき移動機をグループ化し、各グループに対して異なる移動先が優先されるように優先順位を決定し、
各グループの移動機に対して優先順位の互いに異なる移動先を通知する、
請求項４記載の移動体通信ネットワークにおける輻輳制御方法。
【請求項６】
移動体通信ネットワークにおける基地局制御装置であって、
当該基地局制御装置またはその配下の基地局、若しくはセルが輻輳状態であるか否かを判断する手段と、
輻輳状態であると判断したときに、輻輳状態についての情報である輻輳情報を、輻輳状態となっている当該基地局制御装置またはその配下の基地局、若しくはセルに在圏する移動機に対して、当該移動機のユーザが認知可能なように通知する手段と、
を有することを特徴とする移動体通信ネットワークにおける基地局制御装置。
【請求項７】
移動体通信ネットワークにおける基地局制御装置であって、
当該基地局制御装置またはその配下の基地局、若しくはセルが輻輳状態であるか否かを判断する輻輳監視制御部と、
当該移動体通信ネットワークにおいて隣接するエリアを制御する他の基地局制御装置からその配下の基地局、若しくはセルが輻輳状態であるかを示す輻輳情報を取得する近隣輻輳情報取得部と、
セルごとの輻輳状態を記録する輻輳状態管理テーブルと、
前記輻輳監視制御部による判断および前記近隣輻輳情報取得部により取得した輻輳情報に基づいて、前記輻輳状態管理テーブルを更新する輻輳状態制御部と、
前記輻輳状態制御部によって更新された前記輻輳状態管理テーブルによる輻輳情報に基づいて、当該基地局制御装置の配下の輻輳状態となっている移動機に対応して、その輻輳状態から脱するために優先的に移動すべき移動先を決定する輻輳状態編集制御部と、
前記輻輳情報および前記移動先に関する情報を、少なくとも輻輳状態となっているその配下の移動機に対して、当該移動機のユーザが認知可能なように通知する通信制御部と、
を有することを特徴とする移動体通信ネットワークにおける基地局制御装置。
【請求項８】
移動体通信ネットワークに用いられる移動機であって、
基地局から無線で送信されてくる報知情報を受信する手段と、
受信した報知情報に輻輳情報が含まれているときにその輻輳情報を抽出する手段と、
抽出された輻輳情報を、当該移動機のユーザが輻輳状態を認知可能なように当該移動機の表示面に表示しまたはスピーカによって音声出力する手段と、
を有することを特徴とする移動体通信ネットワークに用いられる移動機。
【発明の詳細な説明】
【技術分野】
【０００１】
本発明は、移動体通信ネットワークにおける輻輳制御方法および基地局制御装置並びに移動機に関する。
【背景技術】
【０００２】
近年において携帯電話やＰＨＳなどによる移動体通信が普及している。移動体通信のために、移動機（移動体）、無線基地局、基地局制御装置、交換機などによってネットワーク（網）が構成される。
【０００３】
さて、移動体通信の普及が進むにしたがってトラフィックが増大し、災害の発生やイベントの開催などによって携帯電話などによる発着信が大量に行われ、特定のエリアが輻輳状態に陥る可能性が増える。輻輳状態が発生すると、そのエリアにおいて携帯電話による発着信やメール送受信などが不可能となる。また、輻輳状態が長引くと、移動体通信ネットワークの全体が不安定となってしまう。このような状態となるのを防ぐため、輻輳状態が発生した場合に、該当エリアに在圏している携帯電話などに対し規制を発動することにより、移動体通信ネットワークの安定化が図られている。この場合に、緊急呼や優先呼に対しては予め予約した緊急用の無線リソースによって通信または通話を行える処置がとられている。
【０００４】
しかし、一般のユーザについては、そのような特別の処置がとられていないので、輻輳状態が発生した場合には通信を行うことは不可能となる。しかし、そのような一般のユーザにおいても、重要な案件のため至急に連絡を行わなければならない場合がある。それでも、一般のユーザは、移動体通信ネットワークの輻輳状態が緩和するのをただ待つのみという状況におかれている。
【０００５】
移動体通信ネットワークにおける輻輳制御方法として、特許文献１には、基地局毎の通話チャネル使用率と使用率のしきい値とをネットワーク側から携帯端末に通知し、これを受けた携帯端末側において輻輳状態を判定し、輻輳状態と判定した場合に、隣接する無線ゾーンの通話品質に問題がない場合にハンドオーバを要求することが開示されている。
【０００６】
また、特許文献２には、ネットワーク側において、基地局からの位置登録完了回数が所定値以上になった場合に、隣接する基地局の電界レベルと通話チャネル利用率に問題がない場合に、当該隣接する基地局にトラフィックを分散することが開示されている。
【特許文献１】特開平５−２９２０１２
【特許文献１】特開平１１−２７５６４６
【発明の開示】
【発明が解決しようとする課題】
【０００７】
しかし、上に述べた特許文献１の方法は、携帯電話などの通信が一旦確立して通話が可能な状態となった後の技術であるので、輻輳状態が発生したために通信が行えなくなったときの解決とはならない。
【０００８】
また、特許文献２の方法は、位置登録が携帯電話によって要求されることが前提となっているが、輻輳状態となった場合は位置登録さえ要求できない状態となるので、同様に輻輳状態によって通信が行えなくなったときの解決とはならない。
【０００９】
また、移動体通信ネットワークが輻輳してしまった場合に、緊急呼または優先呼用のネットワークリソースを確保するために、該当エリアに在圏している携帯電話に対し規制を発動してネットワークの輻輳状態を緩和する技術も提案されている。
【００１０】
しかし、これによっても、上に述べたように、一般のユーザについては輻輳状態が緩和するのをただ単に待っているしかない。
【００１１】
このように、従来において提案されているのは、輻輳状態の発生を避けるための技術、または輻輳状態が発生した場合に通信を規制する技術であり、輻輳状態が発生した場合にその輻輳状態を速やかに解消するためのものではない。
【００１２】
本発明は、上述の問題に鑑みてなされたもので、輻輳状態となったときに、その輻輳状態をできるだけ早く解消して移動機の通信を可能にするための輻輳制御方法および装置、並びにそれに用いられる移動機を提供することを目的とする。
【課題を解決するための手段】
【００１３】
本発明に係る方法は、移動体通信ネットワークにおける輻輳制御方法であって、前記移動体通信ネットワークにおける基地局制御装置が、当該基地局制御装置またはその配下の基地局、若しくはセルが輻輳状態となったことを認識したときに、輻輳状態についての情報である輻輳情報を、当該基地局制御装置の制御に基づいて、輻輳状態となっている当該基地局制御装置またはその配下の基地局、若しくはセルに在圏する移動機に対し当該移動機のユーザが認知可能なように通知する。
【００１４】
通知を受けた移動機のユーザは、輻輳情報によって輻輳状態となったことを知ることができ、輻輳状態から脱するために適切に対処することが可能である。
【００１５】
好ましくは、前記移動機に対して輻輳情報を通知する際に、前記移動機の表示面にその旨のメッセージが表示されるようまたは前記移動機のスピーカから音声出力されるように通知する。
【００１６】
これにより、移動機のユーザは輻輳情報を容易に認識することができる。
【００１７】
また、輻輳状態となったことを認識した前記基地局制御装置は、その輻輳情報を当該移動体通信ネットワークにおける他の基地局制御装置に通知し、通知を受けた前記他の基地局制御装置は、通知を受けた輻輳情報を、当該他の基地局制御装置の制御に基づいて、その配下の移動機に対し当該移動機のユーザが認知可能なように通知する。
【００１８】
これによって、輻輳状態が発生したエリアの近隣のエリアに対してもその輻輳情報が通知されるので、広い範囲において輻輳情報を共有することができ、輻輳状態の解消に活用することができる。
【００１９】
また、輻輳状態となったことを認識した前記基地局制御装置は、セルを単位としてその輻輳状態を管理し、輻輳状態となっていないセルに対して、輻輳状態となっているセルの配下の移動機が輻輳状態から脱するために移動すべき移動先としての優先順位を決定し、前記移動機に対して輻輳情報を通知する際に、前記優先順位に基づいて移動先のセルの情報を通知する。
【００２０】
これによって、輻輳状態となったユーザは、何処へ行けば輻輳状態から脱することができるかが分かり、緊急の通信を行う必要がある場合にも対応することができる。また、移動体通信ネットワークにとって、輻輳状態の早期解消を図ることができる。
【００２１】
また、前記輻輳情報を通知すべき移動機をグループ化し、各グループに対して異なる移動先が優先されるように優先順位を決定し、各グループの移動機に対して優先順位の互いに異なる移動先を通知する。
【００２２】
これによって、輻輳情報を移動先とともに通知されたユーザは、その属するグループに応じて異なる移動先に分散して移動することとなり、輻輳状態が早く解消されるとともに、移動先で新たな輻輳状態が発生することが防止される。
【００２３】
本発明に係る装置は、当該基地局制御装置またはその配下の基地局、若しくはセルが輻輳状態であるか否かを判断する輻輳監視制御部と、当該移動体通信ネットワークにおいて隣接するエリアを制御する他の基地局制御装置からその配下の基地局、若しくはセルが輻輳状態であるかを示す輻輳情報を取得する近隣輻輳情報取得部と、セルごとの輻輳状態を記録する輻輳状態管理テーブルと、前記輻輳監視制御部による判断および前記近隣輻輳情報取得部により取得した輻輳情報に基づいて、前記輻輳状態管理テーブルを更新する輻輳状態制御部と、前記輻輳状態制御部によって更新された前記輻輳状態管理テーブルによる輻輳情報に基づいて、輻輳状態となっている当該基地局制御装置の配下の移動機に対応して、その輻輳状態から脱するために優先的に移動すべき移動先を決定する輻輳状態編集制御部と、前記輻輳情報および前記移動先に関する情報を、少なくとも輻輳状態となっているその配下の移動機に対して、当該移動機のユーザが認知可能なように通知する通信制御部とを有する。
【００２４】
本発明に係る移動機は、基地局から無線で送信されてくる報知情報を受信する手段と、受信した報知情報に輻輳情報が含まれているときにその輻輳情報を抽出する手段と、抽出された輻輳情報を、当該移動機のユーザが輻輳状態を認知可能なように当該移動機の表示面に表示しまたはスピーカによって音声出力する手段とを有する。
【００２５】
このように、本発明においては、基地局制御装置が輻輳状態を検出し、該当するエリアに在圏する携帯電話などの移動機のユーザに輻輳情報として規制を通知するととともに、近隣の発着信可能なエリアを通知することにより、緊急な連絡を必要とするユーザを発着信可能なエリアに移動するように誘導することができる。
【発明の効果】
【００２６】
本発明によると、輻輳状態となったときにその輻輳状態をできるだけ早く解消して移動機の通信を可能にすることができる。
【発明を実施するための最良の形態】
【００２７】
図１は本発明に係る移動体通信ネットワーク１の全体の構成を示す図、図２は基地局制御装置の輻輳制御に関する機能的な構成を示すブロック図、図３は輻輳状態管理テーブルの例を示す図、図４は移動機の機能的な構成を示すブロック図、図５は移動先対応情報テーブルの例を示す図、図６は移動機１４の表示部３６に表示された輻輳情報画面ＨＧ１の例を示す図である。
【００２８】
図１において、移動体通信ネットワーク１は、交換機（ＭＳＣ）１１ａ，１１ｂ…、基地局制御装置（ＲＮＣ）１２ａ，１２ｂ，１２ｃ…、基地局（ＮｏｄｅＢ）１３ａ，１３ｂ，１３ｃ…、移動機１４ａ，１４ｂ，１４ｃ…などからなる。なお、それぞれの要素を代表して、交換機１１、基地局制御装置１２、基地局１３、または移動機１４のように、符号「ａ」「ｂ」…などを付さずに記載することがある。
【００２９】
交換機１１は、互いに基幹網ＮＫによって接続されており、各基地局制御装置１２の間の通信における信号を中継する。交換機１１は、無線アクセス網と一般回線交換網との接続ノードであり、無線アクセス網からの呼接続要求（位置登録要求）が当該交換機１１がカバーする交換網の外部から発せられた場合には、対交換機間の接続制御を行う。交換機１１は、当該交換網の外部からの着信要求を受けた場合には、着信先の移動機１４の位置情報が当該交換網内にあった場合に、その移動機１４をカバーするエリア基地局制御装置１２に着信信号を同報する。また、パケット通信の交換を行う接続ノードはｘＧＳＮと呼ばれるが、これも本実施形態の交換機１１に含まれる。
【００３０】
基地局制御装置１２は、その配下の基地局１３および移動機１４を制御する。つまり、基地局制御装置１２は、対基地局制御装置間および対基地局間の無線回線制御、呼接続制御（終話制御を含む）、移動（ハンドオーバ）制御、および移動機１４の通信速度制御などを行なう。
【００３１】
基地局制御装置１２は、発信時（位置登録時）は、基地局１３経由の信号を交換機１１に通知した後、該当する基地局１３との無線回線制御を行う。着信時は、交換機１１からの信号を移動機１４の近隣に存在する複数の基地局１３に同報し、移動機１４が在圏する基地局１３を経由して応答を受信すると、発信時と同様な接続制御（回線制御）を行なう。
【００３２】
また、基地局制御装置１２は、当該基地局制御装置１２を単位として、またはその配下の各基地局１３を単位として、またはその配下の各基地局１３またはセルＣＬ（セルＣＬａ，ｂ，ｃ，ｄ…）を単位として、輻輳状態であるか否かを判断しまたは認識することができる。輻輳状態であるか否かの判断または認識は、公知の種々の方法によって行われる。
【００３３】
例えば、移動体通信ネットワーク１を管理している図示しないコンソ−ル（保守監視卓）からの指令に応じて、基地局制御装置１２が輻輳状態であることを判断しまたは認識する。この場合に、コンソ−ルにおける監視担当者の状況判断に基づき、基地局制御装置１２、基地局１３、またはセルＣＬを単位として、輻輳状態である旨の指令を出す。また、当該基地局制御装置１２それ自体の制御状態または処理状態に基づいて輻輳状態であるか否かを判断する。例えば、基地局制御装置１２が、そのＣＰＵの使用率などを監視し、設定されたしきい値を越えている場合に、輻輳状態であると判断する。また、基地局制御装置１２の配下の基地局１３ごとまたはセルＣＬごとの無線リソースの使用状況などに基づいて判断する。
【００３４】
基地局１３は、それぞれ１つのセルＣＬまたは複数のセル（小無線ゾーン）ＣＬの制御を行い、各セルＣＬを介して、複数の移動機１４との間の多重通信を行う。基地局１３は、移動機１４からの呼制御信号（発信、位置登録）を基地局制御装置１２に中継する機能、および基地局制御装置１２からの無線回線制御信号を移動機１４へ中継する機能などを有する。
【００３５】
移動機１４は、基地局１３を経由し、基地局制御装置１２に対する接続要求信号を契機として交換機１１との接続を行い、位置登録や通常の呼接続などを行うことが可能である。
【００３６】
なお、移動機１４は、基地局１３により制御されるセルＣＬによってカバーされるので、移動機１４がある１つのセルＣＬによってカバーされている場合に、移動機１４はそのセルＣＬ、セルＣＬを制御する基地局１３、基地局１３を制御する基地局制御装置１２の配下にあることになる。
【００３７】
また、移動機１４は、ある１つのセルＣＬのエリア内にいるときでも、他のセルＣＬと通信可能な場合がある。このような場合に、移動機１４は、ダイバーシティ方式によって最も安定して通信を行えるセルＣＬを選択してサービスを受ける。
【００３８】
また、輻輳状態であっても、基地局１３のセルＣＬから移動機１４への通信は可能である。基地局１３からセルＣＬのエリア内に電波を発して一種の放送を行うことにより、移動機１４はそれを受信することが可能であるからである。例えば、基地局１３がセルＣＬに在圏する移動機に対して制御情報を報知する報知チャネルを用いることで、移動機１４は、基地局１３からの情報を受信可能となる。
【００３９】
図２において、基地局制御装置１２は、輻輳監視制御部２１、輻輳状態制御部２２、近隣輻輳情報取得部２３、輻輳状態編集制御部２４、通信制御部２５、および輻輳状態管理テーブル２６などが設けられている。近隣輻輳情報取得部２３は、送信制御部２３１および受信制御部２３２を有する。
【００４０】
輻輳監視制御部２１は、当該基地局制御装置１２またはその配下の基地局１３、若しくはセルＣＬが輻輳状態であるか否かを判断しまたは認識する。輻輳状態であるか否かの判断または認識のために、上に述べたような種々の公知の方法を採りうる。
【００４１】
輻輳状態制御部２２は、輻輳状態についての種々の情報を取得し、また輻輳状態の内容に基づいて種々の制御を行う。例えば、近隣の（隣接する）基地局制御装置１２の輻輳状態についての種々の情報を取得するために、その問い合わせ要求を出すよう送信制御部２３１に指示する。また、当該基地局制御装置１２またはその配下において輻輳状態が発生したときに、関連する移動機１４に対して輻輳情報の通知を行う。また、その場合に、近隣の他の基地局制御装置１２に対して、要求に応じて、その輻輳情報の通知を行うよう送信制御部２３１に指示を出す。また、輻輳監視制御部２１による判断および近隣輻輳情報取得部２３により取得した輻輳情報に基づいて、セルＣＬごとの輻輳状態を記録した輻輳状態管理テーブル２６を更新する。
【００４２】
近隣輻輳情報取得部２３は、移動体通信ネットワーク１において隣接するエリアを制御する他の基地局制御装置１２に対して、その配下の基地局１３、若しくはセルＣＬが輻輳状態であるか否かを問い合わせ、かつそれに対する応答を受信して他の基地局制御装置１２の輻輳情報を取得する。つまり、送信制御部２３１は、上に述べたように、輻輳状態制御部２２の指示によって近隣の基地局制御装置１２に種々の要求を送信する。受信制御部２３２は、近隣の他の基地局制御装置１２から送信されてくる輻輳情報、その他の情報を受信する。
【００４３】
なお、近隣輻輳情報取得部２３において、送信制御部２３１によって輻輳情報を要求するのではなく、近隣の他の基地局制御装置１２から自発的に輻輳情報を送信してくるようにしてもよい。その場合には、当該基地局制御装置１２において輻輳状態が発生した場合は、その輻輳情報を近隣の他の基地局制御装置１２に自発的に送信する。
【００４４】
輻輳状態編集制御部２４は、輻輳状態制御部２２によって更新された輻輳状態管理テーブル２６による輻輳情報に基づいて、当該基地局制御装置１２の配下の輻輳状態となっている移動機１４に対応して、その輻輳状態から脱するために移動すべき移動先を決定する。移動先は、輻輳状態となっていないセルＣＬを対象として決定される。対象となるセルＣＬの全部を移動先としてもよいし、その一部のセルＣＬまたは１つのセルＣＬを移動先として選択してもよい。
【００４５】
移動先を決定するに際し、好ましくは、現在の輻輳状態ができるだけ早く解消されるような方法で決定される。例えば、輻輳状態となっているセルＣＬに在圏する移動機１４を、その周辺の他の複数のセルＣＬに分散して移動させるように、移動先を決定する。その場合に、例えば、輻輳状態となっているセルＣＬごとにグループ分けし、または輻輳状態となっている移動機１４をその電話番号の下一桁の数字などに応じてグループ分けする。そして、１つのグループに対して、輻輳状態となっていない近隣のセルＣＬの１つを移動先として割り当てる。または、１つのグループに対して、輻輳状態となっていない近隣の複数のセルＣＬを順位を付けて移動先として割り当てる。移動先として割り当てるべきセルＣＬがそれによって輻輳状態となる可能性がある場合には、さらに離れたセルＣＬに対しても分散するように移動先を割り当てる。
【００４６】
なお、輻輳状態編集制御部２４は、優先的に移動すべき移動先の決定に際し、輻輳状態管理テーブル２６に登録された輻輳状態でないセルＣＬを対象として、優先度ＹＤを決定する。例えば、対象のセルＣＬに対して、輻輳状態のセルＣＬに近いセルＣＬから順に、「１」、「２」、「３」…というように順に優先度ＹＤを決める。そして、移動先の情報として、移動先のセルＣＬおよびその優先度ＹＤの情報を、輻輳情報として輻輳状態にあるセルＣＬの移動機１４に通知する。
【００４７】
その場合に、輻輳状態のセルＣＬに在圏する全ての移動機１４に同じ輻輳情報を通知した場合には、輻輳情報を受信した移動機１４は、移動先のセルＣＬを優先度ＹＤにしたがって表示することとなる。また、輻輳状態にある移動機１４に対し、優先度ＹＤに応じて異なる移動先のセルＣＬを輻輳情報として通知した場合には、輻輳状態の移動機１４によっては異なった移動先が通知されることとなり、輻輳情報を受信した各移動機１４は、移動機１４によっては異なった移動先のセルＣＬを表示することとなる。
【００４８】
また、輻輳状態編集制御部２４は、移動機１４を複数のグループに区分し、それぞれのグループに対して異なる優先度ＹＤを決定することも可能である。この場合に、例えば、グループごとに、優先度ＹＤまたは移動先を示す輻輳状態管理テーブル２６を生成するようにすればよい。
【００４９】
また、対象のセルＣＬに対して同一の優先度ＹＤを与えることでもよい。同一の優先度ＹＤを与えた場合には、輻輳状態のＣＬの全ての移動機１４に対して同一の移動先が通知されることとなる。
【００５０】
このように、輻輳状態にあるセルＣＬの移動機１４をグループ分けするか否か、優先度ＹＤを付与するか否か、付与する場合に優先度ＹＤをどのように決定するか、付与した優先度ＹＤをどのように用いるか、グループ分けした移動機１４に対して移動先をどのようにして決定するかなどについて、種々の方法を採用することが可能である。
【００５１】
決定した移動先の情報を輻輳情報とともに通信制御部２５に送る。これによって、後で述べるように、輻輳状態のセルＣＬに在圏する移動機１４の表示部３６に、移動先の情報に基づいた画面が表示される。なお、本明細書において、移動先の情報をも含めて「輻輳情報」として扱うこともある。
【００５２】
通信制御部２５は、複数の基地局１３との間における通信を制御し、輻輳情報を含む報知情報、その他の必要な情報を送信または受信する。例えば、輻輳情報および移動機１４の移動先に関する情報を、少なくとも輻輳状態となっているその配下の移動機１４に対して、当該移動機１４のユーザが認知可能なように通知する。また、移動機１４から基地局１３を経由して送られてくる情報を受信する。
【００５３】
図３において、輻輳状態管理テーブル２６には、管理されているセルＣＬのセル番号ＣＢ、輻輳状態であるか否かを示す輻輳状態フラグＦＨ、および当該基地局制御装置１２の配下の移動機１４の移動先としての優先度ＹＤが記録される。
【００５４】
セル番号ＣＢは、それぞれのセルＣＬを識別するものであり、図３に示す「ａ」「ｂ」「ｃ」…は、図１に示すセルＣＬａ、ＣＬｂ、ＣＬｃ…にそれぞれ対応する。なお、「セルＣＬａ」、「セルＣＬｂ」…を、明細書または図面において「セルＡ」「セルＢ」…と記載することがある。
【００５５】
輻輳状態フラグＦＨは、「１」が輻輳状態であることを示し、「０」が輻輳状態でないことを示す。図３においては、セルＣＬａ、ＣＬｂ、ＣＬｃが輻輳状態にあることを示している。
【００５６】
優先度ＹＤは、「１」が最も優先度が高いことを示しており、「２」「３」…の順に優先度が低くなる。図３においては、セルＣＬｄが最も優先度が高く、セルＣＬｅ、セルＣＬｆ…の順に優先度ＹＤが低くなる。通常、優先度ＹＤが「１」のセルＣＬが移動先として選択されることとなる。優先度ＹＤ「１」のセルＣＬが移動先として相応しくない場合に、優先度ＹＤ「２」のセルＣＬが移動先として選択され、優先度ＹＤ「３」「４」の順に移動先として選択されることとなる。
【００５７】
また、上に述べたように、決定された優先度ＹＤに基づいて、輻輳状態の移動機１４を複数のグループに区分したそれぞれのグループに対して順に移動先を割り当てていってもよい。
【００５８】
なお、図３において、輻輳状態フラグＦＨが全て「０」の場合には、通常、優先度ＹＤを決定する必要がないので、優先度ＹＤは記録されない。
【００５９】
また、輻輳状態管理テーブル２６として、優先度ＹＤの欄を省略したものを基本テーブルとして設けておき、輻輳状態のセルＣＬに在圏する移動機１４のグループごとに、優先度ＹＤの欄を設けた移動先通知テーブルのようなものを作成してもよい。このような例を、後で第４の実施例として説明する。
【００６０】
図４において、移動機１４は、通信制御部３１、輻輳情報取得部３２、移動先取得部３３、輻輳状態出力部３４、表示名称テーブル３５、および表示部３６を有する。
【００６１】
通信制御部３１は、基地局１３との間における無線通信を制御する。例えば、基地局１３から無線で送信されてくる報知情報を受信する。
【００６２】
輻輳情報取得部３２は、受信した報知情報に輻輳情報が含まれているときに、その輻輳情報を抽出する。
【００６３】
移動先取得部３３は、輻輳情報に移動先の情報が含まれている場合に、この移動先の情報を取得する。
【００６４】
輻輳状態出力部３４は、抽出された輻輳情報を、当該移動機のユーザが輻輳状態を認知可能なように当該移動機１４の表示部３６に表示し、またはスピーカによって音声出力する。そして、当該移動機１４の移動先の情報が含まれていた場合には、それを上と同様に表示しまたは音声出力する。移動先の出力に際しては、例えば、メッセージ、移動先の地名、地図、経路、道路情報などを出力する。
【００６５】
表示名称テーブル３５は、地域を指定するエリアコードに対応する地名を格納したものであり、表示名称テーブル３５を参照しまたはサーチすることによって、エリアコードを地名に変換することが可能である。エリアコードとして、例えばセル番号ＣＢが用いられる。地名として、例えば住居表示が用いられる。
【００６６】
図５に示すように、表示名称テーブル３５には、セル番号ＣＢおよび表示名称ＨＭが記録される。この例では、基地局制御装置１２から送られてきた輻輳情報において移動先として「セルＣＬａ」が指定されている場合には、「天神１丁目Ａ」と表示され、移動先として「セルＣＬｂ」が指定されている場合には「天神１丁目Ｂ」と表示される。
【００６７】
図６に示すように、表示部３６には、移動機１４がサービスを受けているエリア（セルＣＬ）は現在輻輳が発生して通信が規制中である旨、その移動機１４を利用するには他のエリア（セルＣＬ）に移動しなければならない旨、および、優先される移動先は「天神２丁目Ｂ」である旨が、輻輳情報に基づいて輻輳情報画面ＨＧ１として表示されている。この場合に、移動先の情報として複数のエリア（セルＣＬ）が通知されていた場合には、それら複数のエリアのリストを表示するようにしてもよいし、また、移動機１４のボタンを操作することによってそれらのエリアを順に表示するようにしてもよい。
【００６８】
なお、輻輳情報画面ＨＧ１は、移動機１４の電源がオンとなっている場合には、移動機１４において特に操作を行わなくても表示される。これは、移動機１４の電源がオンとなっている場合には、移動機１４は近くの基地局１３から報知（放送）される報知情報を間欠的に受信しているため、例え輻輳状態のため発着信ができない場合であっても基地局１３からの報知情報を受信して表示部３６に輻輳情報を表示することが可能である。なお、輻輳情報画面ＨＧ１の内容が輻輳情報である。
【００６９】
この移動機１４のユーザは、輻輳情報画面ＨＧ１を見ることによって、現在は輻輳状態であってそのエリアでは通信ができないこと、移動先として示された「天神２丁目Ｂ」に移動すれば輻輳状態を脱して通信が可能になることを知ることができる。このような輻輳情報画面ＨＧ１は当該エリアにある他の移動機１４にも表示されている。また、移動先は、可能な限りユーザが同じエリアに集中することなく分散するように、輻輳状態編集制御部２４において決められている。したがって、輻輳状態を脱したいと考えるユーザは、それぞれに表示された移動先に移動することによって、当該エリアのトラフィックが軽減され、しかも移動先で輻輳状態が発生することが避けられ、輻輳状態が早期に解消されることとなる。
【００７０】
このように、本実施形態においては、輻輳状態が発生したときに、それを移動機１４に知らせるとともに、輻輳状態から脱するための移動先を画面や音声などによって誘導するので、早期に輻輳状態を解消して移動機１４の発着信を可能とすることができる。
【００７１】
次に、移動体通信ネットワーク１の動作について具体的な事例に沿って説明する。
〔第１の実施例〕
図７は第１の実施例を示す移動体通信ネットワーク１Ｂの全体の図、図８は輻輳状態管理テーブル２６の内容の変化を示す図である。
【００７２】
第１の実施例において、基地局制御装置１２ａ〜ｃは互いに近接しまたは隣接している。セルＣＬａ〜ｇは、互いに周辺にあって近接しまたは隣接したセルＣＬである。基地局制御装置１２ａ〜ｃは、それぞれ図２に示した機能を有し、それらの送信制御部２３１および受信制御部２３２が互いに接続され、輻輳情報の送受信が可能となっている。
【００７３】
第１の実施例において、移動体通信ネットワーク１Ｂが正常に運営されている状態では、輻輳状態管理テーブル２６は図８（Ａ）に示す状態である。なお、それぞれの基地局制御装置１２ａ〜ｃごとに輻輳状態管理テーブル２６が設けられているが、隣接したセルＣＬａ〜ｇについての内容は同一であるので、図８においては１つの輻輳状態管理テーブル２６で代表して示す。
【００７４】
第１の実施例では、最初に基地局制御装置１２ａにおいて輻輳状態が発生し、その後、基地局制御装置１２ｂにおいて輻輳状態が発生する例が示されている。以下、（１）〜（１４）に順を追って説明する。
（１）  基地局制御装置１２ａにおいて輻輳状態が発生すると、これを輻輳監視制御部２１が検出し、輻輳監視制御部２１は輻輳状態制御部２２に通知する。
（２）  輻輳状態制御部２２は、輻輳状態となったことの通知を受け、基地局制御装置１２ａの輻輳状態管理テーブル２６を更新する。更新内容としては、基地局制御装置１２ａにおける輻輳のため、基地局制御装置１２ａの配下のセルＣＬａ〜ｃが輻輳状態となる。輻輳状態管理テーブル２６は図８（Ｂ）の状態に更新される。
（３）  基地局制御装置１２ａの輻輳状態制御部２２は、輻輳状態編集制御部２４に輻輳状態の変化を通知する。通知を受けた輻輳状態編集制御部２４は、輻輳状態となっていないセルＣＬｄ〜ｇに対して優先度ＹＤを決定して輻輳状態管理テーブル２６に記録するとともに、輻輳状態管理テーブル２６の内容を編集した輻輳情報を、通信制御部２５に通知する。通信制御部２５は、基地局１３ｂを経由して、グループＡに属する移動機１４に対し報知情報を送信するが、その際に、報知情報に輻輳情報をのせて送信する。
（４）  グループＡに属する移動機１４は、通信制御部３１により報知情報を受信し、輻輳情報取得部３２に報知情報の受信通知を行う。輻輳情報取得部３２において、報知情報から輻輳情報を抽出し、移動先取得部３３に輻輳情報を送る。移動先取得部３３においては、受け取った輻輳情報を解析することにより、セルＣＬａ〜ｃが輻輳状態となったことを知る。輻輳情報に含まれる優先度ＹＤにより、セルＣＬｄ，ｅ，ｆ，ｇの方向へ移動することによって発着信が可能となることを取得し、優先度ＹＤの付与された移動先（優先移動先通知）を輻輳状態出力部３４に送る。輻輳状態出力部３４において、セルＣＬｄ〜ｇに対応する地名を表示名称テーブル３５を参照して取得し、取得した地名を優先度ＹＤに応じて表示部３６に表示する。
（５）  基地局制御装置１２ａにおける（２）の制御が行われた後、輻輳状態制御部２２は、近隣輻輳情報取得部２３の送信制御部２３１にも輻輳情報を送り、基地局制御装置１２ｂ，ｃに対して輻輳情報を送信する。
（６）  基地局制御装置１２ｂ，ｃの受信制御部２３２では、基地局制御装置１２ａから送信された輻輳情報を受信し、それぞれの輻輳状態制御部２２へ輻輳状態が発生したことを通知する。この通知を基にして、輻輳状態制御部２２は、その輻輳状態管理テーブル２６を図８（Ｂ）の状態に更新する。このようにして、隣接する全ての基地局制御装置１２ａ〜ｃの輻輳状態管理テーブル２６が同一の内容に更新される。
（７）  基地局制御装置１２ｂにおける輻輳状態の発生をその輻輳監視制御部２１が検出し、輻輳状態制御部２２に輻輳状態の発生の通知を行う。
（８）  輻輳状態制御部２２は、通知を受けて、基地局制御装置１２ｂの輻輳状態管理テーブル２６を更新する。更新内容としては、基地局制御装置１２ｂにおける輻輳のため、基地局制御装置１２ｂの配下のセルＣＬｄ〜ｅが輻輳状態となる。その時点で既にセルＣＬａ〜ｃも輻輳状態であるため、輻輳状態管理テーブル２６は図８（Ｃ）の状態に更新される。
（９）  基地局制御装置１２ｂの輻輳状態制御部２２は、輻輳状態編集制御部２４に対して輻輳状態の変化を通知する。通知を受けた輻輳状態編集制御部２４は、輻輳状態管理テーブル２６の内容を編集した輻輳情報を、通信制御部２５へ通知する。通信制御部２５は、基地局１３ｃを経由して、グループＢに属する移動機１４に対し、輻輳情報を報知情報にのせて送信する。
（１０）  グループＢに属する移動機１４は、通信制御部３１により報知情報を受信し、輻輳情報取得部３２に送る。輻輳情報取得部３２において、図８（Ｃ）に示す内容の輻輳情報を報知情報から取得し、移動先取得部３３に送る。移動先取得部３３において、受け取った輻輳情報を解析し、セルＣＬａ〜ｅが輻輳状態となったことを認識し、セルＣＬｆ，ｇの方向へ移動することにより輻輳状態から脱せられるので、それを輻輳状態出力部３４に送る。輻輳状態出力部３４において、セルＣＬｆ〜ｇに対応する地名を表示名称テーブル３５を参照して取得し、取得した地名を輻輳情報とともに表示部３６に表示する。
（１１）  基地局制御装置１２ｂにおける制御の後、その輻輳状態制御部２２は、近隣輻輳情報取得部２３の送信制御部２３１にも輻輳情報を送り、基地局制御装置１２ａ，ｃに対して輻輳情報を送信する。
（１２）  基地局制御装置１２ａ，ｃの受信制御部２３２では、基地局制御装置１２ｂから送信された輻輳情報を受信し、それぞれの輻輳状態制御部２２へ輻輳状態が発生したことを通知する。この通知を基にして、輻輳状態制御部２２は、その輻輳状態管理テーブル２６を図８（ｃ）の状態に更新する。
（１３）  さらに、既に輻輳状態となっている基地局制御装置１２ａの輻輳状態編集制御部２４では、輻輳状態管理テーブル２６の内容が図８（Ｂ）の状態から図８（Ｃ）の状態に変更されたことを検知し、再度、輻輳状態管理テーブル２６の内容を編集し、編集し直した輻輳情報を通信制御部２５に通知する。通信制御部２５は、基地局１３ｂを経由して、グループＡに属する移動機１４に対し、輻輳情報を報知情報にのせて送信する。
（１４）  基地局制御装置１２ａの配下のグループＡに属する移動機１４は、受信した報知情報に対して上に述べたと同様な処理を行い、移動先の地名を含めた輻輳情報を表示部３６に表示する。
【００７５】
なお、第１の実施例におけるグループＡは、セルＣＬａ〜ｃに在圏する移動機１４を含むグループであり、グループＢは、セルＣＬｄ〜ｅに在圏する移動機１４を含むグループである。
〔第２の実施例〕
図９は第２の実施例を示す移動体通信ネットワーク１Ｃの全体の図である。
【００７６】
第２の実施例では、最初に基地局制御装置１２ａにおいて輻輳状態が発生し、その後、基地局制御装置１２ｂにおいて輻輳状態が発生する例が示されている。
【００７７】
上に述べた第１の実施例では、輻輳が発生した基地局制御装置１２が周辺の基地局制御装置１２に対して輻輳情報を通知することで、各基地局制御装置１２においてその周辺の基地局制御装置１２の輻輳状態を更新しているが、第２の実施例では、輻輳状態が発生した際に、周辺の基地局制御装置１２に輻輳状態を問い合わせることにより、輻輳情報の更新を行う。ここでは、第１の実施例との相違点を中心に説明する。なお、輻輳状態管理テーブル２６の状態の説明には第１の実施例と同じ図８を用いる。
（１）  基地局制御装置１２ａにおける輻輳状態を輻輳監視制御部２１が検出し、輻輳状態制御部２２に通知する。
（２）  輻輳状態制御部２２は、輻輳状態となったことの通知を受け、基地局制御装置１２ａの輻輳状態管理テーブル２６を図８（Ｂ）のように更新する。
【００７８】
輻輳状態制御部２２から送信制御部２３１に指示し、送信制御部２３１から基地局制御装置１２ｂ，ｃに対して輻輳状態の問い合わせのための通信を行う。基地局制御装置１２ｂ，ｃでは、それぞれの受信制御部２３２において受信した問い合わせ信号を、輻輳状態制御部２２で解析し、それぞれの基地局制御装置１２ｂ，ｃの輻輳状態管理テーブル２６から輻輳情報を抽出する。輻輳状態制御部２２は、抽出した輻輳情報を送信制御部２３１に送り、送信制御部２３１から基地局制御装置１２ａに送信する。
（３）  基地局制御装置１２ａでは、基地局制御装置１２ｂ，ｃから返信されてきた輻輳情報を受信制御部２３２で受信し、それを輻輳状態制御部２２へ送る。これに基づいて、輻輳状態制御部２２において、輻輳状態管理テーブル２６を図８（Ｂ）のように更新する。
（４）  第１の実施例の（３）と同様である。
（５）  第１の実施例の（４）と同様である。
（６）  基地局制御装置１２ｂにおける輻輳状態の発生を、輻輳監視制御部２１が検出し、輻輳状態制御部２２に通知する。
（７）  通知を受けた輻輳状態制御部２２は、輻輳状態管理テーブル２６を更新する。更新内容としては、基地局制御装置１２ｂにおける輻輳のため、基地局制御装置１２ｂの配下のセルＣＬｄ〜ｅが輻輳状態となる。既にセルＣＬａ〜ｃも輻輳状態であるため、輻輳状態管理テーブル２６は図８（Ｃ）の状態に更新される。
【００７９】
基地局制御装置１２ｂの輻輳状態制御部２２から、基地局制御装置１２ａ，ｃに対して、輻輳状態の問い合わせを行う。基地局制御装置１２ａ，ｃにおいて、受信制御部２３２で受信した問い合わせ信号を、輻輳状態制御部２２において解析し、それぞれの輻輳状態管理テーブル２６から輻輳情報を抽出する。輻輳状態制御部２２は、抽出した輻輳情報を送信制御部２３１に送り、送信制御部２３１から基地局制御装置１２ｂに送信する。
（８）  基地局制御装置１２ｂの輻輳状態制御部２２では、基地局制御装置１２ａ，ｃから送信された輻輳情報を、受信制御部２３２で受信し、輻輳状態制御部２２へ送る。輻輳状態制御部２２は、輻輳状態管理テーブル２６を更新するが、この例では、既にある図８（Ｃ）の状態と変わりがない。
（９）  第１の実施例の（９）と同様である。
（１０）  第１の実施例の（１０）と同様である。
（１１）  基地局制御装置１２ａは、上の（２）において輻輳状態の問い合わせを実施した後、一定時間毎に（２）〜（５）の制御を行い、最新の輻輳情報に基づいてグループＡの移動機１４に対して輻輳情報を送信する。以降は上の（２）〜（５）と同様である。
〔第３の実施例〕
図１０は第３の実施例を示す移動体通信ネットワーク１Ｄの全体の図、図１１は輻輳状態管理テーブル２６の内容の変化を示す図である。
【００８０】
第３の実施例では、最初に基地局制御装置１２ａのセルＣＬｂにおいて輻輳状態が発生し、その後、基地局制御装置１２ｂのセルＣＬｅにおいて輻輳状態が発生する例が示されている。
（１）  基地局制御装置１２ａの配下にあるセルＣＬｂにおいて輻輳状態が発生する。
（２）  基地局制御装置１２ａの輻輳監視制御部２１がその輻輳状態を検出し、輻輳状態制御部２２へ通知する。
（３）  輻輳状態制御部２２は、輻輳状態が発生したことの通知を受け、基地局制御装置１２ａの輻輳状態管理テーブル２６を更新する。更新内容としては、基地局制御装置１２ｂの配下のセルＣＬｂにおける輻輳のため、図１１（Ｂ）に示す状態に更新される。
（４）  基地局制御装置１２ａの輻輳状態制御部２２は、輻輳状態編集制御部２４に輻輳状態が変化したことを通知する。通知を受けた輻輳状態編集制御部２４は、輻輳状態管理テーブル２６の内容を編集した輻輳情報を通信制御部２５に送る。通信制御部２５は、基地局１３ｂを経由して、グループＡの移動機１４に対し、報知情報にのせて輻輳情報を送信する。
（５）  グループＡに属する移動機１４は、通信制御部３１により報知情報を受信し、輻輳情報取得部３２に報知情報の受信通知を行う。輻輳情報取得部３２において、報知情報から輻輳情報を抽出し、移動先取得部３３に輻輳情報を送る。移動先取得部３３においては、受け取った輻輳情報を解析することにより、セルＣＬｂが輻輳状態となったことを知る。輻輳情報に含まれる優先度ＹＤにより、セルＣＬａ，ｃ，ｄ，ｅ，ｆ，ｇの方向へ移動することによって発着信が可能となることを認識し、優先移動先通知を輻輳状態出力部３４に送る。輻輳状態出力部３４において、セルＣＬａ，ｃ〜ｇに対応する地名を表示名称テーブル３５を参照して取得し、輻輳状態とともにその地名を優先度ＹＤに基づいて表示部３６に表示する。
（６）  基地局制御装置１２ａにおける（２）の制御の後、輻輳状態制御部２２は、送信制御部２３１を介し、基地局制御装置１２ｂ，ｃに対して輻輳情報を送信する。
（７）  基地局制御装置１２ｂ，ｃの受信制御部２３２は、基地局制御装置１２ａから送信された輻輳情報を受信し、輻輳状態制御部２２に通知する。その内容に基づいて、輻輳状態制御部２２は、それぞれの輻輳状態管理テーブル２６を図１１（Ｂ）に示す状態に更新する。
（８）  基地局制御装置１２ｂの配下のセルＣＬｅにおいて輻輳状態が発生する。
（９）  基地局制御装置１２ｂの輻輳監視制御部２１がその輻輳状態を検出し、輻輳状態制御部２２に通知する。
（１０）  輻輳状態制御部２２は、輻輳状態管理テーブル２６を図１１（Ｃ）に示す状態に更新する。
（１１）  基地局制御装置１２ｂの輻輳状態制御部２２は、輻輳状態編集制御部２４に対して輻輳状態が変化したことを通知する。通知を受けた輻輳状態編集制御部２４は、輻輳情報を通信制御部２５に送る。通信制御部２５は、基地局１３ｃを経由して、グループＢの移動機１４に輻輳情報を送信する。
（１２）  グループＢに属する移動機１４は、通信制御部３１により報知情報を受信し、輻輳情報取得部３２に報知情報の受信通知を行う。輻輳情報取得部３２において、報知情報から輻輳情報を抽出し、移動先取得部３３に輻輳情報を送る。移動先取得部３３においては、受け取った輻輳情報を解析することにより、セルＣＬｂ，ｅが輻輳状態となったことを知る。これにより、セルＣＬａ，ｃ，ｄ，ｆ，ｇの方向へ移動することによって発着信が可能となることを取得し、優先移動先通知を輻輳状態出力部３４に送る。輻輳状態出力部３４において、セルＣＬａ，ｃ，ｄ，ｆ，ｇに対応する地名を表示名称テーブル３５を参照して取得し、これとともに輻輳情報を表示部３６に表示する。
（１３）  基地局制御装置１２ｂにおける（１０）の制御の後、輻輳状態制御部２２は、送信制御部２３１を介し、基地局制御装置１２ａ，ｃに輻輳情報を送信する。
（１４）  基地局制御装置１２ａ，ｃでは、受信した輻輳情報に基づいて、輻輳状態管理テーブル２６を図１１（Ｃ）に示す状態に更新する。
（１５）  上の（４）と同様である。
（１６）  上の（５）と同様である。但し、通知する内容が異なり、優先移動先がセルＣＬａ，ｃ，ｄ，ｆ，ｇであるため、それに対応する地名が移動先として表示される。
〔第４の実施例〕
図１２は第４の実施例を示す移動体通信ネットワーク１Ｅの全体の図、図１３は輻輳状態管理テーブル２６の内容の変化を示す図、図１４は２つのグループＡ，Ｂに属するそれぞれの移動機１４に送信する輻輳状態管理テーブル２６ａ，２６ｂの内容の変化を示す図である。なお、図１４（Ａ）〜（Ｃ）はグループＡに送る内容、図１４（Ｄ）〜（Ｆ）はグループＢに送る内容をそれぞれ示す。
【００８１】
第４の実施例では、最初に基地局制御装置１２ａのセルＣＬｂにおいて輻輳状態が発生し、その後、セルＣＬａにおいて輻輳状態が発生する例が示されている。グループＡの移動機１４およびグループＢの移動機１４は、セルＣＬｂに在圏しているものとする。
【００８２】
なお、第４の実施例では、グループＡは、セルＣＬｂに在圏する移動機１４のうちの約半分、グループＢは、セルＣＬｂに在圏する移動機１４のうちの残りの約半分である。このようなグループ分けは、例えば、移動機１４の電話番号の下１桁の数字が奇数か偶数かによって行えばよい。
（１）  基地局制御装置１２ａの配下にあるセルＣＬｂにおいて輻輳状態が発生する。
（２）  輻輳監視制御部２１がその輻輳状態を検出する。
（３）  輻輳状態制御部２２は、基地局制御装置１２ａの輻輳状態管理テーブル２６を、図１３（Ｂ）に示す状態に更新する。
（４）  輻輳状態制御部２２は、さらに、輻輳状態編集制御部２４に輻輳状態が変化したことを通知する。通知を受けた輻輳状態編集制御部２４は、通知された内容を解析し、自分の基地局制御装置１２ａの配下のセルＣＬｂが輻輳状態となったことを認識する。
【００８３】
輻輳状態編集制御部２４は、セルＣＬｂに在圏しているグループＡの移動機１４に対して、輻輳状態管理テーブル２６の内容を編集する。この編集に当たって、グループＡのために新たな輻輳状態管理テーブル２６ａを作成する。輻輳状態管理テーブル２６ａの内容は、図１４（Ｂ）に示す状態となる。輻輳状態編集制御部２４は、編集した図１４（Ｂ）の輻輳状態管理テーブル２６ａの内容を含めて、輻輳状態になったことを通知するための輻輳情報ＨＪａを作成し、作成した輻輳情報ＨＪａを通信制御部２５に送る。通信制御部２５は、基地局１３ｂを経由して、グループＡの移動機１４に対して輻輳情報ＨＪａを送信する。
【００８４】
これと同時に、輻輳状態編集制御部２４は、セルＣＬｂに在圏しているグループＢの移動機１４に対して、輻輳状態管理テーブル２６の内容を編集する。この編集に当たって、グループＢのために新たな輻輳状態管理テーブル２６ｂを作成する。輻輳状態管理テーブル２６ｂの内容は、図１４（Ｅ）に示す状態となる。輻輳状態編集制御部２４は、編集した図１４（Ｅ）の輻輳状態管理テーブル２６ｂの内容を含めて、輻輳状態になったことを通知するための輻輳情報ＨＪｂを作成し、作成した輻輳情報ＨＪｂを通信制御部２５に送る。通信制御部２５は、基地局１３ｂを経由して、グループＢの移動機１４に対して輻輳情報ＨＪｂを送信する。
【００８５】
ここで注意すべき点は、図１４（Ｂ）に示す優先度ＹＤと、図１４（Ｅ）に示す優先度ＹＤとが互いに相違することである。その結果、後で述べるように、グループＡとＢには、互いに異なるセルＣＬまたは互いに異なる順序のセルＣＬが移動先として表示されることとなる。
（５）  グループＡに属する移動機１４は、通信制御部３１において報知情報を受信し、輻輳情報取得部３２にそれを通知する。輻輳情報取得部３２において、報知情報から輻輳情報ＨＪａを抽出し、移動先取得部３３に送る。移動先取得部３３において輻輳情報ＨＪａを解析し、その優先度ＹＤに基づいて移動先を決定する。輻輳状態出力部３４において、表示部３６に移動先を輻輳情報ＨＪａとともに表示する。その結果、優先度ＹＤにしたがって、セルＣＬａの地名、セルＣＬｃの地名の順に表示されることになる。
【００８６】
グループＢにおいても同様の処理が行われるが、図１４（Ｅ）に示す内容が輻輳情報ＨＪｂとして通知されているため、その優先度ＹＤにしたがって、セルＣＬｃの地名、セルＣＬａの地名の順に表示されることになる。
【００８７】
このように、グループＡの移動機１４とグループＢの移動機１４とでは、最初に表示される移動先が互いに異なる。その結果、グループＡとグループＢのユーザは、輻輳状態から脱するために互いに異なる移動先に分散することとなる。
（６）  基地局制御装置１２ａにおける（２）の制御の後、輻輳状態制御部２２は、送信制御部２３１を介し、基地局制御装置１２ｂ，ｃに対して輻輳状態を送信する。
（７）  基地局制御装置１２ｂ，ｃは、受信した輻輳状態に基づいて、それぞれの輻輳状態管理テーブル２６を図１３（Ｂ）に示す内容に更新する。
（８）  基地局制御装置１２ａの配下のセルＣＬａにおいて輻輳状態が発生する。
（９）  輻輳監視制御部２１がその輻輳状態を検出する。
（１０）  輻輳状態制御部２２は、基地局制御装置１２ａの輻輳状態管理テーブル２６を、図１３（Ｃ）に示す状態に更新する。
（１１）  輻輳状態制御部２２は、さらに、輻輳状態編集制御部２４に輻輳状態が変化したことを通知する。通知を受けた輻輳状態編集制御部２４は、通知された内容を解析し、セルＣＬａ，ｂが輻輳状態となったことを認識する。輻輳状態編集制御部２４は、セルＣＬａ，ｂに在圏しているグループＡの移動機１４に対して、輻輳状態管理テーブル２６ａの内容を修正することによって編集し、通信制御部２５に送る。通信制御部２５は、基地局１３ｂを経由して、セルＣＬａ，ｂに在圏するグループＡの移動機１４に輻輳情報ＨＪａを送信する。このときに送信する輻輳情報ＨＪａの内容は、図１４（Ｃ）に示す状態である。
【００８８】
これと同時に、セルＣＬａ，ｂに在圏するグループＢの移動機１４に対しては、同様の処理によって、図１４（Ｆ）の輻輳状態管理テーブル２６ｂに示す内容が輻輳情報ＨＪｂとして送信される。
（１２）  グループＡに属する移動機１４は、通信制御部３１において報知情報を受信し、輻輳情報取得部３２にそれを通知する。輻輳情報取得部３２において、報知情報から輻輳情報ＨＪａを抽出し、移動先取得部３３に送る。移動先取得部３３において輻輳情報ＨＪａを解析し、その優先度ＹＤに基づいて移動先を決定する。輻輳状態出力部３４において、表示部３６に移動先を輻輳情報ＨＪａとともに表示する。その結果、優先度ＹＤにしたがって、セルＣＬｃの地名、セルＣＬｄの地名の順に表示されることになる。
【００８９】
グループＢにおいても同様の処理が行われるが、図１４（Ｆ）に示す内容が輻輳情報ＨＪｂとして通知されているため、その優先度ＹＤにしたがって、セルＣＬｄの地名、セルＣＬｃの地名の順に表示されることになる。
【００９０】
このように、第４の実施例においては、グループごとに優先度ＹＤの異なる輻輳状態管理テーブル２６ａ，ｂが作成され、それぞれのグループＡ，Ｂの移動機１４に対して優先度ＹＤが付けられた複数の移動先が輻輳情報ＨＪａ，ｂとして送信される。各グループの移動機１４においては、それぞれの優先度ＹＤに基づいて移動先の地名が表示される。その表示に当たっては、優先順に並べた地名のリストを画面ＨＧ上に表示してもよく、または、最初に優先度ＹＤの最も高い地名を画面ＨＧに表示し、操作入力または所定の時間の経過に基づいて、優先度ＹＤの低い地名を順に１つずつ表示するようにしてもよい。
【００９１】
次に、本実施形態の移動体通信ネットワーク１における輻輳制御の全体の流れをフローチャートに沿って説明する。
【００９２】
図１５は輻輳制御の全体の流れを示すフローチャートである。
【００９３】
図１５において、基地局制御装置１２が輻輳状態を認識すると（＃１１でイエス）、各セルＣＬごとの移動先またはグループごとの移動先を決定する（＃１２）。移動先は１つまたは複数である。移動先を含んだ輻輳情報を、他の報知情報とともに、基地局１３から各移動機１４に送信（放送）する（＃１３）。
【００９４】
報知情報を受信した各移動機１４は、その中から抽出した輻輳情報および移動先を、その表示面に表示する（＃１４）。または、輻輳情報を音声によって出力する。
【００９５】
上に述べた実施形態において、表示名称テーブル３５を各移動機１４に保持することとしたが、移動機１４に表示名称テーブル３５を保持することなく、基地局制御装置１２から移動先の地名を直接に送信して表示するようにしてもよい。また、基地局制御装置１２から移動先のＧＰＳ上の座標を送信し、その座標に基づいて、移動機１４の表示面に移動先を地図上に表示してもよい。なお、移動機１４における輻輳情報または移動先の表示方法および内容は、移動機１４の表示部３６のサイズや性能などに応じて種々変更することが可能である。
【００９６】
上に述べた実施形態および種々の実施例において、輻輳状態管理テーブル２６，２６ａ，２６ｂ、または表示名称テーブル３５の構成および内容は、上に述べた以外に種々変更することが可能である。
【００９７】
その他、移動機１４、基地局制御装置１２、または移動体通信ネットワーク１の全体または各部の構成、構造、形状、画像の内容、処理の順序または内容などは、本発明の趣旨に沿って適宜変更することができる。                                                    
【００９８】
以上、本発明の実施形態をいくつかの実施例とともに説明したが、本発明は上記実施形態に限定されることなく、次に付記として示すような種々の形態で実施することが可能である。
（付記１）
移動体通信ネットワークにおける輻輳制御方法であって、
前記移動体通信ネットワークにおける基地局制御装置が、当該基地局制御装置またはその配下の基地局、若しくはセルが輻輳状態となったことを認識したときに、輻輳状態についての情報である輻輳情報を、当該基地局制御装置の制御に基づいて、輻輳状態となっている当該基地局制御装置またはその配下の基地局、若しくはセルに在圏する移動機に対し当該移動機のユーザが認知可能なように通知する、
ことを特徴とする移動体通信ネットワークにおける輻輳制御方法。
（付記２）
前記移動機に対して輻輳情報を通知する際に、前記移動機の表示面にその旨のメッセージが表示されるようまたは前記移動機のスピーカから音声出力されるように通知する、
付記１記載の移動体通信ネットワークにおける輻輳制御方法。
（付記３）
輻輳状態となったことを認識した前記基地局制御装置は、その輻輳情報を当該移動体通信ネットワークにおける他の基地局制御装置に通知し、
通知を受けた前記他の基地局制御装置は、通知を受けた輻輳情報を、当該他の基地局制御装置の制御に基づいて、その配下の移動機に対し当該移動機のユーザが認知可能なように通知する、
付記１または２記載の移動体通信ネットワークにおける輻輳制御方法。
（付記４）
輻輳状態となったことを認識した前記基地局制御装置は、当該移動体通信ネットワークにおいて隣接するエリアを制御する他の基地局制御装置に対してそれぞれの輻輳状態を問い合わせ、
前記移動機に対して輻輳情報を通知する際に、当該移動機をカバーするセルに隣接するセルの輻輳情報を含めて通知する、
付記１ないし３記載の移動体通信ネットワークにおける輻輳制御方法。
（付記５）
輻輳状態となったことを認識した前記基地局制御装置は、セルを単位としてその輻輳状態を管理し、
前記移動機に対して輻輳情報を通知する際に、セルごとの輻輳状態を示す情報を通知する、
付記１または２記載の移動体通信ネットワークにおける輻輳制御方法。
（付記６）
輻輳状態となったことを認識した前記基地局制御装置は、セルを単位としてその輻輳状態を管理し、
輻輳状態となっていないセルに対して、輻輳状態となっているセルの配下の移動機が輻輳状態から脱するために移動すべき移動先としての優先順位を決定し、
前記移動機に対して輻輳情報を通知する際に、前記優先順位に基づいて移動先のセルの情報を通知する、
付記１または２記載の移動体通信ネットワークにおける輻輳制御方法。
（付記７）
前記輻輳情報を通知すべき移動機をグループ化し、各グループに対して異なる移動先が優先されるように優先順位を決定し、
各グループの移動機に対して優先順位の互いに異なる移動先を通知する、
付記６記載の移動体通信ネットワークにおける輻輳制御方法。
（付記８）
前記移動機に対して輻輳情報を通知する際に、前記移動機に設けられたエリアコードと住所との変換テーブルに基づいて移動先のセルのエリアを示す住所が当該移動機の表示面に表示されるように、前記エリアコードを含めて通知する、
付記７記載の移動体通信ネットワークにおける輻輳制御方法。
（付記９）
移動体通信ネットワークにおける基地局制御装置であって、
当該基地局制御装置またはその配下の基地局、若しくはセルが輻輳状態であるか否かを判断する手段と、
輻輳状態であると判断したときに、輻輳状態についての情報である輻輳情報を、輻輳状態となっている当該基地局制御装置またはその配下の基地局、若しくはセルに在圏する移動機に対して、当該移動機のユーザが認知可能なように通知する手段と、
を有することを特徴とする移動体通信ネットワークにおける基地局制御装置。
（付記１０）
移動体通信ネットワークにおける基地局制御装置であって、
当該基地局制御装置またはその配下の基地局、若しくはセルが輻輳状態であるか否かを判断する輻輳監視制御部と、
当該移動体通信ネットワークにおいて隣接するエリアを制御する他の基地局制御装置からその配下の基地局、若しくはセルが輻輳状態であるかを示す輻輳情報を取得する近隣輻輳情報取得部と、
セルごとの輻輳状態を記録する輻輳状態管理テーブルと、
前記輻輳監視制御部による判断および前記近隣輻輳情報取得部により取得した輻輳情報に基づいて、前記輻輳状態管理テーブルを更新する輻輳状態制御部と、
前記輻輳状態制御部によって更新された前記輻輳状態管理テーブルによる輻輳情報に基づいて、輻輳状態となっている当該基地局制御装置の配下に在圏する移動機に対応して、その輻輳状態から脱するために優先的に移動すべき移動先を決定する輻輳状態編集制御部と、
前記輻輳情報および前記移動先に関する情報を、少なくとも輻輳状態となっているその配下の移動機に対して、当該移動機のユーザが認知可能なように通知する通信制御部と、
を有することを特徴とする移動体通信ネットワークにおける基地局制御装置。
（付記１１）
移動体通信ネットワークに用いられる移動機であって、
基地局から無線で送信されてくる報知情報を受信する手段と、
受信した報知情報に輻輳情報が含まれているときにその輻輳情報を抽出する手段と、
抽出された輻輳情報を、当該移動機のユーザが輻輳状態を認知可能なように当該移動機の表示面に表示しまたはスピーカによって音声出力する手段と、
を有することを特徴とする移動体通信ネットワークに用いられる移動機。
【図面の簡単な説明】
【００９９】
【図１】本発明に係る移動体通信ネットワークの全体の構成を示す図である。
【図２】基地局制御装置の輻輳制御に関する機能的な構成を示すブロック図である。
【図３】輻輳状態管理テーブルの例を示す図である。
【図４】移動機の機能的な構成を示すブロック図である。
【図５】移動先対応情報テーブルの例を示す図である。
【図６】移動機の表示部に表示された輻輳情報画面の例を示す図である。
【図７】第１の実施例を示す移動体通信ネットワークの全体の図である。
【図８】輻輳状態管理テーブルの内容の変化を示す図である。
【図９】第２の実施例を示す移動体通信ネットワークの全体の図である。
【図１０】第３の実施例を示す移動体通信ネットワークの全体の図である。
【図１１】輻輳状態管理テーブルの内容の変化を示す図である。
【図１２】第４の実施例を示す移動体通信ネットワークの全体の図である。
【図１３】輻輳状態管理テーブルの内容の変化を示す図である。
【図１４】２つのグループに送信する輻輳状態管理テーブルの内容を示す図である。
【図１５】輻輳制御の全体の流れを示すフローチャートである。
【符号の説明】
【０１００】
１  移動体通信ネットワーク
１１  交換機
１２  基地局制御装置
１３  基地局
１４  移動機
２１  輻輳監視制御部
２２  輻輳状態制御部
２３  近隣輻輳情報取得部
２４  輻輳状態編集制御部
２５  通信制御部
２６  輻輳状態管理テーブル
２６ａ，ｂ  輻輳状態管理テーブル
３１  通信制御部
３２  輻輳情報取得部
３３  移動先取得部
３４  輻輳状態出力部
３５  表示名称テーブル
３６  表示部
ＨＧ１  輻輳情報画面（輻輳情報）
ＣＬ  セル
ＹＤ  優先度
ＨＭ  表示名称
【図１】
2008118171.tif 000003
【図２】
2008118171.tif 000004
【図３】
2008118171.tif 000005
【図４】
2008118171.tif 000006
【図５】
2008118171.tif 000007
【図６】
2008118171.tif 000008
【図７】
2008118171.tif 000009
【図８】
2008118171.tif 000010
【図９】
2008118171.tif 000011
【図１０】
2008118171.tif 000012
【図１１】
2008118171.tif 000013
【図１２】
2008118171.tif 000014
【図１３】
2008118171.tif 000015
【図１４】
2008118171.tif 000016
【図１５】
2008118171.tif 000017